(57)【要約】  本発明による蒸気送出装置は、細長いシャフトと、遠位端電極と、リング電極を有する。遠位端電極は、それに接触する組織の第１の電気インピーダンス及び位相シフトを測定するように構成される。リング電極は、それに接触する組織の第２の電気インピーダンス及び位相シフトを測定するように構成される。電子コントローラは、第１の電気インピーダンス、第２の電気インピーダンス及び位相シフトに基づいて、先端電極及びリング電極が前立腺内に配置されているかどうかを決定するように構成される。
2020505093.tif 000002
【特許請求の範囲】
【請求項１】
患者の前立腺癌を治療する方法であって、
患者の尿道を尿道冷却カテーテルで冷却することと、
患者の前立腺に隣接した組織を、チルド流体の注入によって冷却することと、
前立腺をリアルタイムで撮像することと、
蒸気送出装置を前立腺内に経腹膜的に前進させることと、
蒸気を蒸気送出装置内で誘導的に発生させることと、
蒸気を前記蒸気送出装置から前立腺に送出することと、を含む方法。
【請求項２】
更に、前記蒸気送出装置の遠位端のところの組織の第１の電気インピーダンス及び位相シフトを測定することを含む、請求項１に記載の方法。
【請求項３】
更に、測定した第１の電気インピーダンス及び位相シフトに基づいて、前記遠位端が患者の前立腺に挿入されているかどうかを決定することを含む、請求項２に記載の方法。
【請求項４】
更に、前記蒸気送出装置の遠位端よりも近位側の前記蒸気送出装置の一部分のところの組織の第２の電気インピーダンス及び位相シフトを測定することを含む、請求項２に記載の方法。
【請求項５】
更に、測定した第２の電気インピーダンス及び位相シフトに基づいて、前記蒸気送出装置の遠位端よりも近位側の前記蒸気送出装置の前記一部分が患者の前立腺に挿入されているかどうかを決定することを含む、請求項４に記載の方法。
【請求項６】
更に、患者の会陰組織に隣接した前記蒸気送出装置の一部分を能動的に絶縁することを含む、請求項１に記載の方法。
【請求項７】
前記一部分を能動的に絶縁することは、前記蒸気送出装置の細長いシャフトを包囲する複数の管内に絶縁空気空間を形成することを含む、請求項６に記載の方法。
【請求項８】
蒸気送出装置を前立腺内に配置する方法であって、
蒸気送出装置を前立腺内に経腹膜的に前進させることと、
前記蒸気送出装置の先端電極に接触する組織の第１の電気インピーダンス及び位相シフトを測定することと、
前記蒸気送出装置のリング電極に接触する組織の第２の電気インピーダンス及び位相シフトを測定することと、を含み、前記リング電極は、前記先端電極よりも近位側にあり、
更に、前記先端電極及び前記リング電極が前立腺内に配置されているかどうかを決定することと、
前記先端電極及び前記リング電極が前立腺内に配置されていれば、蒸気を前立腺に送出することと、を含む方法。
【請求項９】
更に、１〜１００ＭＨｚの周波数の交流電流を供給して、前立腺内の組織と前立腺の外側の組織との間のインピーダンスと位相のコントラストを最適化する作動周波数を決定することを含む、請求項８に記載の方法。
【請求項１０】
更に、前記先端電極及び前記リング電極が前立腺内に配置されていることの指示をユーザに提供することを含む、請求項８に記載の方法。
【請求項１１】
蒸気送出装置であって、
細長いシャフトと、
遠位端電極と、を有し、前記遠位端電極は、それに接触する組織の第１の電気インピーダンス及び位相シフトを測定するように構成され、
更に、前記遠位端電極の近位側において前記細長いシャフトに配置されたリング電極を有し、前記リング電極は、それに接触する組織の第２の電気インピーダンス及び位相シフトを測定するように構成され、
更に、前記遠位端電極と前記リング電極の間に配置された電気的絶縁部分と、
電子コントローラと、を有し、前記電子コントローラは、第１の電気インピーダンス、第２の電気インピーダンス及び位相シフトに基づいて、前記先端電極及び前記リング電極が前立腺内に配置されているかどうかを決定するように構成される、蒸気送出装置。
【請求項１２】
更に、回路を有し、前記回路は、前立腺内の組織と前立腺の外側の組織の間のインピーダンスと位相のコントラストを最適化する作動周波数を決定するために、１〜１００ＭＨｚの周波数の交流電流を供給するように構成される、請求項１１に記載の蒸気送出装置。
【請求項１３】
蒸気送出システムであって、
ＲＦ発生器コンソールと、
前記ＲＦ発生器コンソールに挿入されるように構成されたシリンジと、を含み、前記シリンジは、シリンジハンドルと、プランジャと、前記シリンジハンドル上に配置されたハンドル磁石と、前記プランジャ内に配置されたプランジャ磁石を含み、
更に、前記シリンジに結合された流体源と、
前記ＲＦ発生器内に配置された発生器磁石と、を含み、前記発生器磁石は、前記プランジャ磁石を前進させたり後退させたりするように前記プランジャ磁石と整列するように構成され、
前記ＲＦ発生器コンソールは、前記発生器磁石を前進させたり後退させたりすることによって、前記流体源からの流体を前記シリンジに自動的に補充するように構成される、蒸気送出システム。
【請求項１４】
更に、前記流体源から前記シリンジ内に流体を流すことを可能にするように構成された一方向逆止弁を含む、請求項１３に記載の蒸気送出システム。
【請求項１５】
更に、前記シリンジから前記蒸気送出装置に流体を流すことを可能にするように構成された第２の一方向逆止弁を含む、請求項１４に記載の蒸気送出システム。
【発明の詳細な説明】
【技術分野】
【０００１】
〔関連出願との相互参照〕
本出願は、２０１７年１月６日に出願された米国仮特許出願第６２／４４３、５５５号に対する優先権の利益を主張するものであり、この文献は引用により本明細書に組み入れられる。
【０００２】
本出願は、２０１５年９月９日に出願された米国特許出願公開第１４／７７３、８５３号及び２０１６年１２月１９日に出願された米国特許出願公開第２０１６／０６７５５８号に関連し、これらの文献はその全体が引用により本明細書に組み入れられる。
【０００３】
本明細書において言及する特許及び特許出願を含む全ての文献は、各個々の文献が引用により組み入れられていると明確にかつ個別に示されている場合と同等にその全体が引用により本明細書に組み入れられる。
【０００４】
本発明は、低侵襲法を用いた前立腺治療装置及び関連する方法に関する。
【背景技術】
【０００５】
前立腺は、人生の早期ではクルミの寸法及び形状であり、ＢＰＨ（前立腺肥大症）によって生じる肥大の前において、約２０グラムの重さを有する。前立腺肥大は、通常の経過であるように見える。前立腺の寸法は、年と共に次女に、通常の寸法の２倍又はそれ以上に増大する。外側前立腺被膜の線維筋性組織は、前立腺が或る寸法に達した後、肥大を制限する。肥大時のかかる制限により、嚢内組織は、尿道前立腺部を圧迫して締め付け、従って、尿の流れに抵抗を生じさせる。
【０００６】
前立腺は、３つの領域、即ち、周辺領域、移行領域、及び中心領域に分類される。周辺領域（ＰＺ）は、男性の前立腺の容積の約７０％を含む。前立腺の後面のこの被膜下部分は、遠位尿道を包囲し、癌の７０％〜８０％は、周辺領域の組織に発症する。中心領域（ＣＺ）は、射精管を包囲し、前立腺の容積の約２０〜２５％を含む。中心領域は、しばしば、炎症過程の部位である。移行領域（ＴＺ）は、前立腺肥大症が発達する部位であり、正常な前立腺の腺要素の容積の約５〜１０％を含むが、ＢＰＨの場合、かかる容積の８０％までを構成することがある。移行領域は、２つの外側前立腺中葉と、尿道周囲腺領域を含む。生来のバリヤが移行領域の周りにあり、すなわち、尿道前立腺部、前部線維筋間質ＦＳ、及び移行領域と周辺領域の間の線維性平面ＦＰである。前部線維筋間質ＦＳ又は線維筋域は、主として線維筋性組織である。
【０００７】
前立腺癌の約７０％〜８０％は、前立腺の周辺領域に発症し、周辺領域に拘束されることがある。近年、生検の後、癌が見つかった組織の領域のみを治療する前立腺癌の局所治療への関心が高まっている。ＲＦ焼灼エネルギーを用いるような従来技術の局所治療処置は、治療を周辺領域組織に限定しない場合がある。
【発明の概要】
【０００８】
非周辺領域組織を焼灼することなく周辺領域組織を焼灼するためのシステム及び方法を開示する。経腹膜的アプローチにより、蒸気送出装置を用いて周辺領域組織へのアクセス及び治療を行う。
【０００９】
超音波及び針位置センサガイダンスを用いて、針の経路に沿った複数の部位に蒸気を送出することができる。
【００１０】
経路に沿った蒸気送出針の動きを、蒸気送出のために停止することを含めて制御することができる。針の到達範囲内のあらゆる位置への針の動きをデジタルステップで制御するためのシステム及び方法を開示する。
【００１１】
ほとんどの前立腺癌は周辺領域に発症する。針を通じて周辺領域に送出された蒸気は、癌が存在しない可能性がある他の前立腺領域への組織障壁を横切らない。
【００１２】
患者の前立腺癌の治療方法であって、尿道冷却カテーテルを用いて患者の尿道を冷却するステップと、冷却流体の注入を用いて患者の前立腺に隣接した組織を冷却するステップと、前立腺をリアルタイムで撮像するステップと、前立腺内に蒸気送出装置を経腹膜的に前進させるステップと、蒸気送出装置において誘導的に蒸気を発生させるステップと、蒸気送出装置を通じて蒸気を前立腺に送出するステップとを含む方法を提供する。
【００１３】
いくつかの例では、この方法が、蒸気送出装置の遠位端における組織の第１の電気インピーダンス及び位相シフトを測定するステップをさらに含む。方法は、測定された第１の電気インピーダンス及び位相シフトに基づいて、遠位端が患者の前立腺に挿入されているかどうかをさらに決定することができる。
【００１４】
また、この方法は、蒸気送出装置の遠位端の近位部分における組織の第２の電気インピーダンス及び位相シフトを測定し、測定された第２の電気インピーダンス及び位相シフトに基づいて、蒸気送出装置の遠位端の近位部分が患者の前立腺に挿入されているかどうかを決定することもできる。
【００１５】
方法は、患者の会陰組織に隣接した蒸気送出装置の部分を能動的に絶縁するステップをさらに含むことができる。この能動的な絶縁を用いて、敏感な組織を加熱された蒸気送出装置から保護することができる。能動的に絶縁するステップは、蒸気送出装置の細長いシャフトを包囲する複数の管内に絶縁空気空間を形成するステップを含むことができる。
【００１６】
蒸気送出装置を前立腺内に配置する方法であって、前立腺内に蒸気送出装置を経腹膜的に前進させるステップと、蒸気送出装置の先端電極に接触する組織の第１の電気インピーダンス及び位相シフトを測定するステップと、蒸気送出装置の先端電極の近位に存在するリング電極に接触する組織の第２の電気インピーダンス及び位相シフトを測定するステップと、先端電極及びリング電極が前立腺内に配置されているかどうかを決定するステップと、先端電極及びリング電極が前立腺内に配置されている場合、前立腺に蒸気を送出するステップとを含む方法も提供する。
【００１７】
この方法は、１〜１００ＭＨｚの周波数の交流電流を付与して、前立腺内の組織と前立腺の外側の組織の間のインピーダンスと位相のコントラストを最適化する作動周波数を決定するステップを含むことができる。
【００１８】
また、この方法は、先端電極及びリング電極が前立腺内に配置されている旨の指示をユーザに提供するステップをさらに含むことができる。
【００１９】
蒸気送出装置であって、細長いシャフトと、接触する組織の第１の電気インピーダンス及び位相シフトを測定するように構成された遠位端電極と、細長いシャフト上の遠位端電極から近位に配置され、接触する組織の第２の電気インピーダンス及び位相シフトを測定するように構成されたリング電極と、遠位端電極とリング電極との間に配置された電気的絶縁部分と、第１及び第２の電気インピーダンス及び位相シフトに基づいて、先端電極及びリング電極が前立腺内に配置されているかどうかを決定するように構成された電子コントローラとを含む装置も提供する。
【００２０】
この装置は、１〜１００ＭＨｚの周波数の交流電流を供給して、前立腺内の組織と前立腺の外側の組織の間のインピーダンスと位相のコントラストを最適化する作動周波数を決定するように構成された回路をさらに含むことができる。
【００２１】
蒸気送出システムであって、ＲＦ発生器コンソールと、シリンジハンドル、プランジャ、シリンジハンドル上に配置されたハンドル磁石及びプランジャ内に配置されたプランジャ磁石を含む、ＲＦ発生器コンソールに挿入されるように適合されたシリンジと、シリンジに結合された流体源と、ＲＦ発生器内に配置されて、プランジャ磁石と整列してプランジャ磁石を前進させたり後退させたりするように構成された発生器磁石とを含み、ＲＦ発生器コンソールが、発生器磁石を前進させたり後退させたりすることによってシリンジに流体源からの流体を自動的に補充するように構成されたシステムも提供する。
【００２２】
１つの例では、このシステムが、流体源からシリンジ内への流体の流れを可能にするように構成された一方向逆止弁を含むとともに、シリンジから蒸気送出装置への流体の流れを可能にするように構成された第２の一方向逆止弁を任意に含む。
【００２３】
次に、本発明をさらに良く理解してその実際の実施方法を確認できるように、同様の実施形態全体を通じて同じ参照文字が一貫して対応する特徴を示す添付図面を参照しながらいくつかの好ましい実施形態をほんの一例として説明する。
【図面の簡単な説明】
【００２４】
【図１Ａ】経腹膜蒸気送出システムを示す図である。
【図１Ｂ】経腹膜蒸気送出システムを示す図である。
【図２Ａ】送出システムと共に使用するシリンジを示す図である。
【図２Ｂ】送出システムと共に使用するシリンジを示す図である。
【図２Ｃ】送出システムと共に使用するシリンジを示す図である。
【図３Ａ】送出システムと共に使用する蒸気発生器を示す図である。
【図３Ｂ】送出システムと共に使用する蒸気発生器を示す図である。
【図３Ｃ】送出システムと共に使用する蒸気発生器を示す図である。
【図３Ｄ】送出システムと共に使用する蒸気発生器を示す図である。
【図３Ｅ】送出システムと共に使用する蒸気発生器を示す図である。
【図３Ｆ】送出システムと共に使用する蒸気発生器を示す図である。
【図３Ｇ】送出システムと共に使用する蒸気発生器を示す図である。
【図３Ｈ】送出システムと共に使用する蒸気発生器を示す図である。
【図４Ａ】蒸気送出針を示す図である。
【図４Ｂ】蒸気送出針を示す図である。
【図４Ｃ】蒸気送出針を示す図である。
【図４Ｄ】蒸気送出針を示す図である。
【図５】超音波撮像ガイダンスを用いて前立腺内に針を正しく配置する際の曖昧性を示す図である。
【図６】分離した導体間の電圧及び電流及び電圧信号を示す図である。
【図７】尿道冷却カテーテルを示す図である。
【図８】経腹膜蒸気送出システムを用いた前立腺癌の治療法を示す図である。
【発明を実施するための形態】
【００２５】
前立腺癌を治療するための経腹膜蒸気送出システムを提供する。図１Ａに示すように、経腹膜蒸気送出システム１００は、ＲＦ発生器１０２と、補助コントローラコンソール１０４と、蒸気発生送出ハンドル１０６と、蒸気送出針（図示せず）と、前立腺の外側周辺の神経を冷却して保護するための生理食塩水を送出する冷却針（図示せず）と、ユーザに高温を警告することによって神経及びその他の前立腺周囲組織をさらに保護する針状熱電対（図示せず）と、尿道前立腺部に配置されてこの組織を保護する冷却カテーテル１１０を通じて低温生理食塩水１０９を循環させる尿道冷却システム１０８と、経直腸超音波（ＴＲＵＳ）撮像システムなどの超音波撮像システム１１１を含む。システムは、更に、生理食塩水ライン１１２と、熱電対ライン１１４、１１６と、撮像ライン１１８を含み、これらはそれぞれ、冷却システム、針状熱電対、及び超音波撮像システムに接続される。超音波撮像システム１１１からの画像は、ディスプレイ１２０上に表示される。
【００２６】
図１Ｂは、蒸気発生送出ハンドル１０６と、蒸気送出針１２２と、冷却針１２４と、針状熱電対１２６と、冷却カテーテル１１０と、超音波撮像システム１１１の詳細図である。蒸気送出針１２２は、前立腺内に経腹膜的に挿入されて前立腺内に高温の凝縮性蒸気を送出して前立腺癌を治療するように構成される。冷却針１２４及び冷却カテーテルは、前立腺の近傍の組織内に低温生理食塩水を送出して、尿道及び肛門などの隣接組織への焼灼ダメージを防ぐように構成される。針状熱電対１２６は、蒸気送出中に前立腺の組織を含む組織の温度を測定するように構成される。
【００２７】
ＲＦ発生器の主要機能は、蒸気送出装置の加熱素子に滅菌水及びＲＦ電力を供給することである。オペレータが送出装置の蒸気送出ボタンを押したとき、ＲＦ発生器は蒸気を送出する。また、ＲＦ発生器は、前立腺の周囲組織に注入するための生理食塩水を針に供給する。生理食塩水は冷却を行うが、治療の実行中に前立腺と敏感な直腸組織との間の空間を満たして分離する役割も果たす。
【００２８】
図１Ａの補助コントローラコンソールは、図１Ｂの尿道前立腺部に示す特注設計の尿道冷却カテーテルを通じて低温生理食塩水を循環させる特注設計のペルチェ効果チラー（冷却装置）を含む。チラーの生理食塩水は、生理食塩水注入針を通じて前立腺の外側の組織に送出される生理食塩水を、ＲＦ発生器にも供給する生理食塩水バッグリザーバから供給する。補助コントローラコンソールは、前立腺周囲組織に損傷を与え得る温度を超えないことを確実にするように、前立腺の外側の複数の地点における温度の追跡も行う。
【００２９】
図１Ａに示す補助コントローラコンソールは、治療中に水を冷やして循環させて尿道を冷却する。補助コントローラコンソールは、前立腺の外側の組織に挿入された針の長さに沿った熱電対の位置の温度もモニタして、いずれかの温度が指定限度を超えた時に治療が行われるのを防ぐ。各針状熱電対は、その長さに沿って離間した３又は４以上の熱電対を含む。また、補助コントローラコンソールは、蒸気送出先端部及びリング電極の電気インピーダンス及び位相シフトをモニタし、オペレータと相互作用して、治療を行う前に蒸気送出針の先端が前立腺組織に隣接しているかどうかを決定する。針の先端に隣接した組織の状態のカスタム表示が補助コントローラにおけるリアルタイム超音波撮像に融合されて、図１Ａに示すようにオペレータの好みの場所の作業領域のモニタに表示される。
【００３０】
〔ＲＦ発生器〕
大量の蒸気をＢＰＨシステムよりも高い割合で長い時間にわたって送出できる癌蒸気治療システムの要件としては、より多くの総滅菌水量に十分な電力を供給することが挙げられる。図１Ａ〜図１Ｂのシステムは、３００〜６００ｋＨｚの範囲の周波数で最大５００ワットのＲＦ電力を供給することができる。
【００３１】
蒸気発生のために大量の滅菌水を供給する１つの解決策は、ＲＦ発生器に大型の蒸気シリンジを使用することである。この解決策には、所与の水流量のために低速で移動するシリンジプランジャを駆動するリニアモータが必要である。低いプランジャ速度で正確な水流量を確実にすることは困難となり得る。また、大口径のシリンジでは、シリンジの弾性コンプライアンスが高まって送水の精度も低下する恐れがある。シリンジの長さはＲＦ発生器の長さによって制限され、ＲＦ発生器の長さは臨床ニーズによって制限される。
【００３２】
本開示は、より多くの水の必要性を克服するために、水がなくなると自動的に補充を行う滅菌水シリンジを提供する。このシリンジを図２Ａに組立図として示し、図２Ｂに組立てたものを示す。図２Ａでは、滅菌水シリンジ１２８が、シリンジバレル１３０と、シリンジプランジャ１３２と、シリンジハンドル１３４と、ブッシュ１３６と、Ｏリング１３８と、ルアー継手（ｌｕｅｒ  ｆｉｔｔｉｎｇ）１４０と、シリンジプランジャ磁石１４２と、ねじ１４４と、ハンドル磁石１４６と、接着剤１４８を含む。
【００３３】
図２Ｃに、ＲＦ発生器１０２に挿入された滅菌水シリンジ１２８を示すとともに、シリンジハンドル１３４、シリンジプランジャ磁石１４２、ハンドル磁石１４６、シリンジプランジャ１３２をさらに示す。滅菌水シリンジは、送出装置に流入する水は通すが流出する水は通さない一方向逆止弁１４１と、滅菌水リザーバから流出する水は通すが流入する水は通さない第２の一方向弁１４１とを含む送水管を通じて送出ハンドル内の蒸気発生器に取付けられる。治療の最後には、オペレータがシリンジプランジャ磁石とＲＦ発生器のシャフトプランジャ磁石との間の磁力に打ち勝つように滅菌水シリンジ引っ張ることによってこれを解放する。
【００３４】
図２Ａ〜図２Ｃに示す手動操作式のプランジャ１３２及びハンドル１３４は、ハンドル磁石１４６とシリンジプランジャ磁石１４２との間の磁力を通じてシリンジバレルに係合する。オペレータは、シリンジを滅菌水に漬けて後方に引くことによってシリンジを満たす。その後、オペレータは、磁力に打ち勝つようにハンドルを引っ張ることによってハンドルを解放することができる。満たされたシリンジをＲＦ発生器に挿入すると、ＲＦ発生器内のシリンジプランジャシャフトと整列した（ＲＦ発生器の内部に存在するため図示していない磁石１４６と同一の）磁石がシリンジプランジャ磁石に係合して、システムによるシリンジの前進及び後退が可能になる。
【００３５】
オペレータは、システムの設定及び準備を行うために以下のステップを実行するように指示される。１）蒸気シリンジに手動で生理食塩水を満たし、ＲＦ発生器内に配置して磁石に係合させる。２）蒸気発生送出ハンドルへの一方向弁ＯＵＴと、滅菌水リザーバからの一方向弁ＩＮとを有する二方向ルアーをシリンジに取付ける。３）送出装置の治療送出ボタンを係合させ、ＲＦ発生器がプランジャを駆動させて、システムを準備するための滅菌水が送出され、蒸気を発生させるためのＲＦ電力が供給されるようにする。４）その後、シャフトプランジャ磁石とシリンジプランジャ磁石との間の磁力によって発生器がプランジャを後退させるようにする。一方向弁が、送出ライン内の水がシリンジに戻るのを防ぐ。第２の一方向弁は、プランジャの後退時にリザーバからの水がシリンジを補充できるようにする。５）その後、プランジャが送出システムに係合して水を送出していることを示す５ｌｂの陽圧を検知するまで発生器のプランジャシャフトを前進させる。６）送出装置の治療送出ボタンを係合させて試験的な蒸気砲を空中に送出し、その後にシステムを低電力アイドル状態に入れて治療送出を待機させる。７）治療送出後、シリンジプランジャがシリンジの端部まで移動していれば、補充シーケンスが自動的にトリガされてプランジャを後退させる。８）オペレータは、発生器の画面上のボタンを押すことによっていつでもシリンジを補充することができる。いくつかの実施形態では、シリンジの初期充填時にステップ１）が自動的に行われる。このモードでは、オペレータが発生器内に空のシリンジを配置してシリンジに二方向ルアー継手を取付けると、システムがシリンジの初期充填を自動的に実行する。
【００３６】
〔蒸気送出装置〕
図３Ａ〜図３Ｂに示す蒸気発生送出ハンドル１０６は、ハンドル部分１５０と、治療送出ボタン１５２と、蒸気送出針のためのルアー継手１５４と、蒸気発生送出ハンドルをＲＦ発生器に接続するケーブル及びコネクタ１５６を含む。図３Ｂに示すように、蒸気発生送出ハンドルは、更に、加熱素子１５８と、患者内に配置される針に取付けられるルアー継手を含み、加熱素子１５８は、押出し加工された高温ＰＦＡ絶縁体を含むリッツ線のＲＦコイルと、インコネル（登録商標）６２５の内側コイルと、コイル及び出口用の熱電対を有する。
【００３７】
蒸気送出装置内の加熱素子１５８は、５００ワットまでにおける長期治療のための高温を取扱うことができる。加熱素子は、ワイヤの外側ＲＦコイルと、蒸気用チューブ材の内側コイルを含む。ＲＦ電流を外側ＲＦコイルに付与すると、蒸気用チューブ材の内側コイルの中を流れる流体を外側ＲＦコイルが誘導的に加熱する。
【００３８】
蒸気用チューブ材の内側コイル及び外側ＲＦコイルの構造は、水投入端部から片持ちにされるのがよく、それにより、いかなる材料も、蒸気用チューブ材の内側コイルの高温蒸気端部に露出されない。インコネル（登録商標）６２５の内側コイルは、コイルの両側に沿った巻線間のマイクロ溶接を含むのがよい。これにより、巻線の分離、従って治療送出の変化が起きないことが確保される。ハンドルは、図１Ｂに示すように、治療ごとに、予め挿入された蒸気送出針の間を移動する。
【００３９】
図３Ｃ〜図３Ｄに、加熱素子の外側ＲＦコイル１６０を示す。加熱素子は、ＲＦコイル取付け具１６２を含むことができる。好ましい実施形態では、外側ＲＦコイルが、全体的に同等の＃２４ワイヤゲージを有する個別にエナメル加工された４４ゲージの銅線ストランドで構成される。４４ゲージのストランド加工は、３５０〜８５０ｋＨｚの範囲の、具体的には４４０〜４８０ｋＨｚの好ましい範囲の作動周波数における表皮効果の問題を避けるのに適している。リッツ線は、全体が押出し加工されたＰＦＡ（ペルフルオロアルコキシ）絶縁体の０．００２”（０．０５ミリメートル）肉厚のコーティングを有する。この絶縁体は、内側コイルの高温蒸気端部に隣接した巻線にとっては特に重要な最大２５０℃の連続使用温度を定格とする。
【００４０】
接着剤の変形例として、ワイヤの近位端は、ＲＦコイル取付け具の孔１６４に挿通されることによって機械的に適所に保持される。遠位ワイヤは、図３Ｂに示すワイヤ保持リング１６６の孔に挿通されることによって適所に保持される。図３Ｃに示すＲＦコイルアセンブリの内訳（ｂｒｅａｋ  ｏｕｔ）に、薄肉の高温ポリイミド管に巻かれて遠位ワイヤ保持リング及びＲＦコイル取付け具を通じて取付けられたＲＦコイルワイヤを示す。コイルに対する往復のリッツリード線（ｇｏ  ａｎｄ  ｒｅｔｕｒｎ  Ｌｉｔｚ  ｗｉｒｅ  ｌｅａｄｓ）は、いずれもＲＦコイル取付け具の孔に通されることによって機械的に適所に保持される。
【００４１】
図３Ｅに、巻線間にレーザ溶接などのマイクロ溶接が２本施された蒸気用チューブ材１６８の内側コイルを示す。巻線間には良好な電気的接触が存在することが重要であり、溶接によってこれが保証される。２本の溶接は、巻線の屈曲によって電気的接触が失われないことを保証するのに役立つ機械的強度をもたらす。
【００４２】
図３Ｆは、高温ポリイミド管１７２及びＲＦコイル取付け具１６２を含む外側ＲＦコイル１６０の分解図である。図３Ｇには、アセンブリハブ１７０から片持ち状態にされた蒸気用チューブ材の内側コイルを示す。蒸気用チューブ材の内側コイルは外側ＲＦコイルに挿入されるが、図３Ｇには、例示を目的としてＲＦコイルから切り離して示している。この設計では、蒸気用チューブ材の内側コイルの遠位端が高温ポリイミド管１７２に接触しているが、コイルの遠位端が水を含んでいない時に少なくとも瞬間的に生じ得る高温（最大４００℃）に耐えられない恐れがある他の材料には接触していない。
【００４３】
蒸気用チューブ材の内側コイルは、非磁性ステンレス鋼であるインコネル（登録商標）６２５で構成され、インコネル（登録商標）６２５は、内側コイルが遭遇する温度範囲（２０℃〜４００℃）を上回る温度とほぼ無関係な電気抵抗率を有する。これらの特性は、投与間及び装置間で一貫した蒸気及びカロリーの送出を保証する。特に、一般にハイポ管（ｈｙｐｏ  ｔｕｂｉｎｇ）に使用される３００シリーズのステンレス鋼は、管体のロット毎に、また温度サイクリングと共に変動し得る残留透磁率を有する。可変透磁率は、一定の発生器入力電力に対して可変のカロリー出力をもたらす。３００シリーズステンレスの電気抵抗率は、温度サイクリングと共に予想不能な形で変化するとともに、可変カロリー出力をもたらすこともある。これらの特性は、材料の冷間加工時（ｃｏｌｄ  ｗｏｒｋｅｄ）又は温度サイクル時（ｔｈｅｒｍａｌｌｙ  ｃｙｃｌｅｄ）におけるオーステナイトとマルテンサイトとの間での材料の相変化に起因する。
【００４４】
図３Ｈに、内側コイル熱電対の位置を示す。コイル熱電対１７４は、最遠位のコイル巻線の内側に溶接されるのがよい。この場所は、蒸発して熱を運び出す水がほとんど又は全く存在しない可能性があり、内側コイル上の最も高温の場所である。さらに、この位置はＲＦコイルの下方に存在して誘導加熱される。これは鍋の中の沸騰水に類似しており、温度は、水が全て蒸発してしまうまでは水の沸点に留まり、水が全て蒸発してしまう時点からが急速に上昇する。出口熱電対１７６は、ＲＦコイルから離れており、出口管内の蒸気から入力される熱と、熱が付与される蒸気コイルから出口管を下って熱電対に伝わる熱を受入れる。熱電対にはリード線１７８が接続され、蒸気用チューブ材の内側コイルの内部を経由する。
【００４５】
〔蒸気送出針〕
前立腺癌蒸気送出針は、会陰を穿刺し、前立腺被膜を穿刺して、会陰組織を焼灼することなしに前立腺のみに蒸気を送出する必要がある。本発明では、会陰組織に隣接した針の部分を絶縁し、先端を包囲する組織の電気的特性を測定して、蒸気を送出する前に針が前立腺組織内に存在することを検証することによってこれらの要件に対処する。
【００４６】
針に隣接した非前立腺組織の過熱を防ぐために、固有の蒸気送出針絶縁システムを設計して実装した。このシステムは、中心の蒸気針を包囲して高温の針と会陰組織との間に絶縁空気空間をもたらす小型ポリイミド管のアレイを含む。真空針も開発した。
【００４７】
蒸気送出針は、周囲組織の電気的特性を検知するための２つの電極を有する。針の先端と、先端から絶縁されて先端に近接するリングが電極である。固有の警報システムが、最初に前立腺の外側及び内側の組織の電気的特性を測定し、その後に針が内側又は外側のいずれに存在するかを決定して、前立腺の外側に蒸気が送出されるのを防ぐことができる。
【００４８】
図４Ａ及び図４Ｃに蒸気送出針１２２を示す。この針は、成形されて先が尖った先端１２３と、前立腺組織に蒸気を送出するための先端の孔と、電気的絶縁部分１８０によって先端から分離されたリング電極１８２と、会陰組織を保護する断熱部分１２５と、先端及びリング電極のためのコネクタを有するリードと、針を蒸気発生送出ハンドルに取付けるためのルアー継手を含む中空のスチール針を含む。
【００４９】
１つの好ましい実施形態では、２つの同心的な鋼管の間に真空を形成して、管内を通過する高温蒸気から針の外面を断熱する。図４Ｄに詳細に示す別の好ましい実施形態では、鋼製の蒸気管を覆う内側管１８６と会陰組織に接触する外側管１８８との間に挟まれ且つ空気で満たされた小型管１８４の円形配列を用いて、断熱を達成する。内側管、外側管及び絶縁管は、ポリイミドで構成されることが好ましい。これらの３つの管のインチ単位での好ましい寸法は以下の通りである。
【００５０】
2020505093.tif 000003
【００５１】
組織検知電極の一方は、図４Ｂに示すような内側スチール針管に溶接できる針の先端自体で構成される。内側スチール針の近位端は、電気コネクタを通過して補助コントローラコンソールに至るリードと電気的に接触するのがよい。第２の電極は、絶縁スペーサによって先端電極から電気的に絶縁された、図４Ｃに示すリング電極である。リング電極は、内側ポリイミド管によってスチール針内側管から電気的に絶縁される。好ましい実施形態では、リング電極のリードが、小型管の一方を通過して近位電気コネクタに至る。
【００５２】
〔バイオコンデンサー組織検知及びガイダンス〕
前立腺癌の蒸気治療を行う場合、医師は、患者の前立腺の周辺領域及び／又は移行領域内に蒸気送出針の先端を配置する必要がある。これを行うために、患者の会陰に針を挿通し、超音波ガイダンスを利用して、適切な前立腺領域への操縦を行う。場合によっては、針を適所に配置し、治療を行い、針を前立腺の先端部に向けて引戻し又は前立腺の基部に向けて押進め、その後に別の治療を行うように、単一の針を用いて複数回の蒸気治療を行う。このプロセスを、針の軸の周囲に連続する治療済み組織の領域が形成されるまで繰返す。
【００５３】
前立腺被膜は矯正的なバリヤ（ｃｏｒｒｅｃｔｉｖｅ  ｂａｒｒｉｅｒ）であるため、針の放出孔（ｅｍｉｔｔｅｒ  ｈｏｌｅｓ）が完全に前立腺内に収容されている場合には、治療中に送出された蒸気が前立腺内に残ったままになる。しかしながら、放出孔のうちの１つ又は２つ以上が前立腺被膜の外部に存在する場合には、蒸気が前立腺の外側を進むため望ましくない。
【００５４】
前立腺は３次元器官であるのに対し、超音波データは最終的に２次元画像にレンダリングされるので、蒸気放出孔が完全に前立腺内に収容されていることを医師が確認するのは困難となり得る。このことは、先端部を治療するために針を会陰に向けて引戻した時に特に当てはまる。図５に、この概念を視覚的に示す。垂直セグメントは、超音波が感知して医師が観察する前立腺の平面を示す。
【００５５】
この例では、蒸気針が存在する正確な平面を超音波が測定していないので、ユーザは、前立腺が蒸気針の軸内で実際よりもさらに延びていると誤解する恐れがある（このことを破線で示す）。右側の蒸気針の場合には、放出孔が依然として完全に前立腺内に収容されているので、これを許容することができる。しかしながら、左側の蒸気針の場合には、この可視化の課題では蒸気が前立腺被膜の外部に送出されてしまう。従って、超音波可視化を補足する前立腺内の針の先端の位置の二次的指示が望ましい。
【００５６】
〔バイオコンデンサーの作動原理〕
本発明は、蒸気送出針の先端に電極を組込む。電極間に高周波電流を流し、結果として生じる電極間の電圧、並びに電圧と電流との間の位相シフトを測定する。これらの測定は、針の先端を包囲する組織の性質に依存する。組織は、その内容に応じて電気的に抵抗性及び／又は電気的に容量性となり得る。具体的には、この測定によって前立腺組織が周囲組織と区別され、蒸気の送出前に蒸気送出針が前立腺内に存在するという明確な判断が可能になる。
【００５７】
電子装置におけるコンデンサは、電場内の電気的エネルギーを電荷の形で一時的に蓄える回路要素である。コンデンサは、様々な形状、寸法及びタイプで市販されており、これらは全て、絶縁誘電材料によって分離された２つの導電体という一般的な形態を共有する。誘電材料は、電荷を分離して蓄えることによって静電容量を増幅する。所与のコンデンサの静電容量の大きさは、高レベルにおいては、導体の表面積と導体間の材料の誘電率との積を導体間の分離距離で除算したものによって決まる。所与の誘電材料では、互いに近接近した大型の導体から成るコンデンサの方が、離れた小型の導体から成るコンデンサよりも高い静電容量を有する。交流回路では、静電容量が、電圧信号を電流信号よりも遅れさせるという効果を奏する。この電圧が電流よりも遅れる程度は−９０°〜９０°の度数で測定され、一般に「位相シフト」と呼ばれる。図６に、電流信号及び電圧信号を示す。
【００５８】
同様に、人間の細胞の構造も容量性素子と考えられるようなものである。細胞膜は、導電性の細胞内液を導電性の細胞外液から分離する誘電性の脂質二重層で構成され、これらは共に、コンデンサを形成するために必要な要素である誘電材料によって分離された２つの導電体を構成する。生きた細胞組織では、細胞膜内でイオンポンプが働くことによって膜を横切って電荷が能動的に輸送され、生命にとって不可欠な生きた細胞膜を横切る電位の維持が行われる。これにより、膜を横切る電荷分離が保持されて、生きた組織の静電容量をもたらすのに役立つ。一般に、組織は、静電容量に加えて抵抗を有することができ、組織によって分離された電極は、抵抗と静電容量とを兼ね備えた「漏れコンデンサ」を構成する。生きた細胞を含んでいない組織は、一般に容量性よりも抵抗性の方が強い。理論的には、生物組織の一部の静電容量の測定値を、その組織を構成する細胞のタイプの指標として使用することができる。このことは、組織の生物学的静電容量、すなわちバイオコンデンサーを測定することであると考えることができる。本開示では、バイオコンデンサーの測定によって蒸気針の先端が前立腺内に存在する時と前立腺外に存在する時とを判断し、これに応じて医師に通知を行う。
【００５９】
前立腺自体は、主に間質性の組織細胞（平滑筋）と腺性の組織細胞とを含み、これらはその寸法及び構造に起因して、一般に中間のインピーダンスと中間〜高の静電容量とを特徴とする。一方で、前立腺を直接包囲する領域は、一般に電解液、アミノ酸及び脂肪酸を含む流体を含み、従ってインピーダンスも静電容量も低い。
【００６０】
また、前立腺は、長鎖タンパク質によって形成されるコラーゲンで構成された組織の線維鞘である様々な筋膜によっても取り囲まれる。このコラーゲンは、その長くて細い構造に起因して、前立腺内の間質組織及び腺組織よりも低い、ただし凝集構造（ｃｏｈｅｓｉｖｅ  ｓｔｒｕｃｔｕｒｅ）を欠いた前立腺の外側の流体よりも高いインピーダンス及び静電容量を有する。前立腺被膜も筋膜である。前立腺からはさらに離れるが依然として針の経路内には皮膚及び脂肪細胞が存在し、これらはその構造に起因して、むしろ前立腺内の間質組織及び腺組織と同様のインピーダンス及び静電容量を有する。表１に、治療針が会陰から前立腺までに取る経路上の組織の理論的インピーダンス及び静電容量の概算マップを示す。
【００６１】
2020505093.tif 000004
【００６２】
〔バイオコンデンサーシステムの詳細な説明〕
図４Ｃに、治療中に蒸気を放出する４つの放出孔を３列有する蒸気送出針の先端１２３を示す。この先端は、それ自体がバイオコンデンサー測定のための第１の電極である。第２の電極は、ＰＴＦＥ絶縁体１８２の部分によって針の先端から電気的に分離されたリング電極１８０である。絶縁されたニッケルワイヤがこの電極に溶接され、針の長さにわたって延びる。蒸気針アセンブリの内部では、これらの２つの電極が、雄型ＭＭＣＸコネクタにおいて終端するＭＭＣＶ同軸ケーブルの６”セグメントにはんだ付けされる。蒸気針は、８’ＭＭＣＸ同軸延長ケーブル及びＭＭＸＣからＮ型へのアダプタ（ＭＭＸＣ  ｔｏ  Ｎ−ｔｙｐｅ  ａｄａｐｔｅｒ）を介してシステム発生器（ｓｙｓｔｅｍ  ｇｅｎｅｒａｔｏｒ）内のベクトル電圧計回路に接続される。この回路は、１〜１００ＭＨｚで変動できる周波数の交流電流を供給し、初期周波数掃引を行って前立腺内の組織と前立腺の外側の組織の間のインピーダンスと位相のコントラストを最適化する作動周波数を決定する。インピーダンス振幅及び位相は、システムコンピュータにおいて分析されるベクトル電圧計回路の出力である。
【００６３】
ユーザワークフローは、前立腺の外側及び内側に存在する組織を手動で識別することによって開始する。このステップでは、システムが周波数を掃引して、前立腺の内側組織と外側組織との間のインピーダンス振幅及び位相の最大分離を示す１〜１００ＭＨｚの周波数を探す。位相及び振幅スコアの計算は、以下の表２の式を用いて行われる。スコアは０（針が前立腺の外側にある）〜１００（針が前立腺の内側にある）であり、前立腺の内側組織及び外側組織の位相及び振幅の初期較正に基づく。較正ステップが完了すると、システムは、針の先端における組織タイプをリアルタイムで大規模に識別し、これをユーザに対してディスプレイ上に表示する。蒸気は、両インピーダンス測定によって先端電極もリング電極も前立腺の内部に存在することが示されたと決定された時にのみ組織に送出することができる。ユーザには、一方の電極のみが前立腺内に存在する状態、及び両電極が前立腺外に存在する状態が通知される。
【００６４】
2020505093.tif 000005
重みは、ユーザが複合スコアの重点を位相と振幅のいずれかに偏向できるように、ユーザインターフェイス上のスライド目盛り（ｓｌｉｄｉｎｇ  ｓｃａｌｅ）を介して調整可能である。
【００６５】
〔尿道冷却システム〕
図１Ｂに示す尿道冷却カテーテル１１０は、先端が膀胱内に至るまで尿道に挿通される。１０ｃｃシリンジを介して固定バルーン１１３を生理食塩水で膨らませて先端を係止する。カテーテルを引戻して、固定バルーン１１３を膀胱壁の内部に係合させる。これらのステップは、フォーリーカテーテルの挿入と同様である。
【００６６】
図７に、冷却カテーテル１１０をさらに詳細に示す。中心管腔は、ガイドワイヤを介したカテーテルの挿入を可能にして、膀胱ドレナージのための管腔を提供する。カテーテル管腔を通じて固定バルーン１１３の遠位端内に冷水が循環し、冷却バルーンの長さを伝って流れた後にカテーテルの外側管腔を通じて排出される。前立腺内の蒸気治療によって発生した熱は、この循環する冷水によって尿道壁から離れて導かれる。
【００６７】
この冷却水は、図１Ａに示す冷却生理食塩水１０９を通じて循環してカテーテルに戻る。冷却生理食塩水は、補助コントローラコンソール内に位置するペルチェ効果チラーに挿入される。冷水は、蠕動ポンプによって約１５０ｍｌ／分の速度で循環する。冷水流量の望ましい範囲は、１２５ｍｌ／分〜１７５ｍｌ／分である。水は、冷却生理食塩水１０９から約５℃の温度で排出される。チラーから排出される理想的な水の温度は１℃であり、１０℃未満の温度が好ましい。
【００６８】
〔経腹膜前立腺癌治療システムの使用法〕
蒸気治療は、前治療ＭＲＩ及び／又は超音波画像、並びに前立腺の生検に基づいて事前に計画することができる。治療計画は、癌であると診断された前立腺の領域における蒸気送出針の配置を含む。個々の針は、所与の領域に複数回の治療投与を適用することができる。１つの経験則としては、蒸気治療を行った組織は、未治療の組織よりも超音波に対する透過性が低く、従ってその後の治療投与に対する最適な可視化を保証するために超音波トランスデューサから最も遠い組織を最初に治療することが挙げられる。
【００６９】
蒸気の１つの固有の特徴は、前立腺領域の境界を横切らないことである。これにより、治療する領域の外側の組織に固有の保護がもたらされる。しかしながら、熱は組織境界層を横切って伝わり、時間依存型プロセスとなり得る。分離境界層を横切って熱が伝わるのに十分な長さの時間にわたって蒸気治療を適用した場合には、隣接領域の組織又は前立腺被膜の外側の組織も焼灼温度に達することがある。このため、蒸気治療は、治療領域の寸法に応じて最大１５秒又は最大１０秒にわたって適用される。
【００７０】
蒸気は、超音波エネルギーを反響させるという固有の特性を有し、従って治療中における蒸気の前進は容易に可視化される。蒸気は、最初の１秒間の治療で治療すべき組織の大部分に達するが、多くの場合は時間と共にさらに前進することができる。オペレータは、十分な容量の組織が治療されたと判断した時にはいつでも治療を終了させることができる。治療時間は、５〜１０秒の範囲又は５〜１５秒の範囲とすることができる。治療は、オペレータが問題を感じた場合にはいつでも停止することができる。一般に前立腺領域全体又は領域の一部を含むことができる所望の組織容量が治療されるまで、複数回の治療投与が適用される。
【００７１】
図８は、蒸気治療を用いた前立腺癌の治療方法のブロック図である。この方法は、ステップ８００における、治療の直前に撮影されたＴＲＵＳ画像を含むことができる前治療画像及び生検に基づく治療計画から開始する。この計画は、例えば周辺領域及び移行領域を含む、癌が発症していて治療する必要がある前立腺領域を識別することを含む。
【００７２】
次に、ステップ８０２において、治療計画に基づいて針を配置する。針は、超音波又はＭＲＩガイダンスの下で配置することができる。ＭＲＩガイダンスの場合、治療で使用される全ての器具は非磁性でなければならず、ＲＦ治療とＭＲ画像との間に電磁両立性をもたらすように注意しなければならない。このステップでは、蒸気、高張食塩水（ｓａｌｉｎｅ  ｉｎｆｕｓｉｏｎ）及び針状熱電対を配置する。
【００７３】
次に、最適な撮像のためにＴＲＵＳトランスデューサから最も遠い未治療組織に針を配置することを含む最初の蒸気治療投与を計画する。通常、最大治療時間は、治療が予想される組織領域の寸法に基づいて１０秒又は１５秒として選択される。治療ＲＦ電力及び滅菌水流量は、現在の投与において治療が予想される組織全体を通じて蒸気を膨張させるように選択される。治療を送出する前に、図７のバイオコンデンサー法を用いて、蒸気針が前立腺組織内に存在することを保証する。
【００７４】
ステップ８０４において治療を送出し、ステップ８０６において、ＴＲＵＳ画像上で治療領域を通じて蒸気が膨張するにつれて、又はＭＲＩ熱画像上で温度前線が進むにつれて治療を観察する。治療は、ハンドピース上の治療ボタンを解除することによっていつでも停止させることができる。そうでなければ、治療は、選択された最大時間まで進行する。治療済みの組織の範囲は、ＴＲＵＳ画像における蒸気の進行の観察によって、又はＭＲＩ熱画像における焼灼領域の縁によって確認される。ステップ８０８において、この情報を用いて次の治療領域を選択し、やはり撮像及びバイオコンデンサーガイダンスの下で蒸気針を移動させることができる。このステップを、前立腺領域全体が治療されるまで繰返す。ステップ８１０において、送出装置のハンドルを次の治療針に移動させ、全ての計画された前立腺領域を治療し終えるまでプロセスを繰返す。
【００７５】
以上、本発明の特定の実施形態について詳細に説明したが、この説明は例示を目的としたものにすぎず、包括的なものではないと理解されるであろう。図面には、本発明の特定の特徴を示しているものもあればそうでないものもあり、これは便宜的なものにすぎず、あらゆる特徴は本発明に従って別の特徴と組み合わせることができる。当業者には多くの変形例及び代替例が明らかであろう。このような代替例及び変形例も、特許請求の範囲に含まれるように意図される。従属請求項に示す特定の特徴は組み合わせて本発明の範囲に含めることもできる。本発明は、従属請求項が他の独立請求項を参照して複数の従属請求項の形式で書かれているかのような実施形態も含む。
【図１Ａ】
2020505093.tif 000006
【図１Ｂ】
2020505093.tif 000007
【図２Ａ】
2020505093.tif 000008
【図２Ｂ】
2020505093.tif 000009
【図２Ｃ】
2020505093.tif 000010
【図３Ａ】
2020505093.tif 000011
【図３Ｂ】
2020505093.tif 000012
【図３Ｃ】
2020505093.tif 000013
【図３Ｄ】
2020505093.tif 000014
【図３Ｅ】
2020505093.tif 000015
【図３Ｆ】
2020505093.tif 000016
【図３Ｇ】
2020505093.tif 000017
【図３Ｈ】
2020505093.tif 000018
【図４Ａ】
2020505093.tif 000019
【図４Ｂ】
2020505093.tif 000020
【図４Ｃ】
2020505093.tif 000021
【図４Ｄ】
2020505093.tif 000022
【図５】
2020505093.tif 000023
【図６】
2020505093.tif 000024
【図７】
2020505093.tif 000025
【図８】
2020505093.tif 000026
【国際調査報告】
2020505093.tif 000027